【手続補正書】
【提出日】平成27年4月23日(2015.4.23)
【手続補正１】
【補正対象書類名】特許請求の範囲
【補正対象項目名】全文
【補正方法】変更
【補正の内容】
【特許請求の範囲】
【請求項１】
ａ）下記のｉ）、ｉｉ）を含む少なくとも１つの基材層（Ｓ）：
ｉ）少なくとも１つのスルホン酸基を含む繰り返し構成単位をポリマーＰ１の総質量に基づいて２質量％〜４０質量％含む少なくとも１つのスルホン化ポリマーＰ１；
その際、前記少なくとも１つのスルホン化ポリマーＰ１が、下記の式（１２）：
【化１】
2014514150.tif 000001
［式中、
ｎは３〜１５００の整数である；
ｍは３〜１５００の整数である；
ａおよびｂは互いに独立して、０〜２の整数であり、ただし、ａおよびｂはともに０でない］に従う少なくとも１つのポリエーテルスルホンセグメントおよび少なくとも１つのポリフェニレンスルホンセグメントを含むブロックコポリマーである；
ｉｉ）少なくとも１つのポリマーＰ２
その際、前記少なくとも１つのポリマーＰ２が、下記の式（１）：
【化２】
2014514150.tif 000002
［式中、
ｘは０．５または１である；
ｔおよびｑはそれぞれが互いに独立して、０、１、２または３である；
Ｑ、Ｔ、Ｚはそれぞれが互いに独立して、化学結合、または、−Ｏ−、−Ｓ−、−ＳＯ2−、Ｓ＝Ｏ、Ｃ＝Ｏ、−Ｎ＝Ｎ−、−ＲaＣ＝ＣＲb−および−ＣＲcＲd−の中から選択される基であり、これらの式において、
ＲaおよびＲbはそれぞれが互いに独立して、水素原子またはＣ1〜Ｃ12−アルキル基であり、かつ
ＲcおよびＲdはそれぞれが互いに独立して、水素原子、あるいは、Ｃ1〜Ｃ12−アルキル基、Ｃ1〜Ｃ12−アルコキシ基またはＣ6〜Ｃ18−アリール基であり、この場合、ＲcおよびＲdは、フッ素原子および／または塩素原子によって独立して場合により置換されるか、あるいは、それらが結合する炭素原子と一緒になって、１つ以上のＣ1〜Ｃ6−アルキル基によって場合により置換されるＣ3〜Ｃ12−シクロアルキル基を形成する場合があり、
ただし、Ｔ基、Ｑ基およびＺ基の少なくとも１つは−ＳＯ2−またはＣ＝Ｏであり、かつ、ｔおよびｑがそれぞれ０であるとき、Ｚは−ＳＯ2−またはＣ＝Ｏである；
Ａｒ、Ａｒ1はそれぞれが互いに独立して、Ｃ1〜Ｃ12−アルキル基、Ｃ6〜Ｃ18−アリール基、Ｃ1〜Ｃ12−アルコキシ基およびハロゲン原子から選択される１つ以上の基によって場合により置換されるＣ6〜Ｃ18−アリーレン基である］に従う繰り返し構成単位を含むポリアリールエーテルである；
ｂ）少なくとも１つのポリアミドを含む少なくとも１つのフィルム層（Ｆ）
を含む複合膜。
【請求項２】
前記少なくとも１つのポリマーＰ２が、下記の式（１）：
【化３】
2014514150.tif 000003
［式中、
ｘは０．５または１である；
ｔおよびｑはそれぞれが互いに独立して、０、１または２である；
Ｑ、Ｔ、Ｚはそれぞれが互いに独立して、化学結合、または、−Ｏ−および−ＳＯ2−から選択される基であり、
ただし、Ｔ基、Ｑ基およびＺ基の少なくとも１つは−ＳＯ2−であり、かつ、ｔおよびｑが０であるならば、Ｚは−ＳＯ2−である；
Ａｒ、Ａｒ1はそれぞれが互いに独立して、Ｃ6〜Ｃ12−アリーレン基である］に従う繰り返し構成単位から構成されるポリアリールエーテルである、請求項１に記載の複合膜。
【請求項３】
前記少なくとも１つのポリマーＰ２が、下記の式（３）：
【化４】
2014514150.tif 000004
に従う繰り返し構成単位から構成されるポリエーテルスルホンである、請求項１または２に記載の複合膜。
【請求項４】
スルホン化ポリマーＰ１対ポリマーＰ２の質量比が０．４〜１．５の範囲にある、請求項１〜３のいずれか１項に記載の複合膜。
【請求項５】
前記少なくとも１つのポリアミドが、少なくとも８５％のアミド基が２つの芳香族環に直接に結合する芳香族ポリアミドである、請求項１〜４のいずれか１項に記載の複合膜。
【請求項６】
少なくとも１つの基材層（Ｓ）および少なくとも１つのフィルム層（Ｆ）を含む複合膜を製造するための方法であって、下記の工程：
ａ）下記のｉ）〜ｉｖ）を含むポリマー組成物Ｐを製造する工程：
ｉ）少なくとも１つのスルホン酸基を含む繰り返し構成単位をポリマーＰ１の総質量に基づいて２質量％〜４０質量％含む少なくとも１つのスルホン化ポリマーＰ１；
ｉｉ）少なくとも１つのポリマーＰ２；
ｉｉｉ）少なくとも１つの溶媒Ｓ１；
ｉｖ）エチレングリコール、ジエチレングリコール、ポリエチレングリコール、グリセロール、メタノール、エタノール、イソプロパノールおよびポリビニルピロリドンからなる群から選択される必要に応じて使用される少なくとも１つのさらなる添加物
その際、前記スルホン化ポリマーＰ１および前記ポリマーＰ２は請求項１に定義されるとおりである；
ｂ）前記ポリマーＰ１およびポリマーＰ２を前記溶媒Ｓ１から分離して、基材層（Ｓ）を形成する工程；
ｃ）前記基材層（Ｓ）を、少なくとも２つのアミン基を有する少なくとも１つのポリアミンモノマーと、少なくとも１つの溶媒Ｓ２とを含む組成物Ａ１と接触させる工程；
ｄ）前記基材層（Ｓ）を、少なくとも２つのアシルハライド基を有する少なくとも１つのポリアシルハライドモノマーと、少なくとも１つの溶媒Ｓ３とを含む組成物Ａ２と接触させて、フィルム層（Ｆ）を前記基材層（Ｓ）の上に形成させる工程であって、複合膜が得られる工程
を含む前記複合膜の製造方法。
【請求項７】
前記ポリマー組成物Ｐが、
ｉ）２．５質量％〜２２．５質量％の少なくとも１つのスルホン化ポリマーＰ１；
ｉｉ）２．５質量％〜１５質量％の少なくとも１つのポリマーＰ２；
ｉｉｉ）Ｎ−メチルピロリドン、Ｎ−ジメチルアセトアミド、ジメチルスルホキシド、ジメチルホルムアミド、トリエチルホスファート、テトラヒドロフラン、１，４−ジオキサンおよびメチルエチルケトンからなる群から選択される、６２．５質量％〜９５質量％の少なくとも１つの溶媒Ｓ１；
ｉｖ）エチレングリコール、ジエチレングリコール、ポリエチレングリコール、グリセロール、メタノール、エタノール、イソプロパノールおよびポリビニルピロリドンからなる群から選択される、必要に応じて使用される０質量％〜３０質量％の少なくとも１つのさらなる添加物
を含む、請求項６に記載の前記複合膜の製造方法。
【請求項８】
前記ポリマーＰ１およびポリマーＰ２を工程ｂにおいて前記溶媒Ｓ１から分離することが、
−  前記ポリマー組成物Ｐを支持体内に適用すること；
−  少なくとも１つのＣ1〜Ｃ12脂肪族アルコールおよび／または水を含む凝集組成物Ｃを、前記基材層Ｓを形成することによって前記ポリマー組成物Ｐに加えること
によって行われる、請求項６または７に記載の前記複合膜の製造方法。
【請求項９】
前記組成物Ａ１が、フェニレンジアミン、フェニレントリアミン、シクロヘキサントリアミン、シクロヘキサンジアミン、ピペラジンおよびビピペリジンからなる群から選択される、０．５質量％〜５質量％の少なくとも１つのポリアミンモノマーと、少なくとも５０質量％の水を含む少なくとも１つの溶媒Ｓ２とを含む、請求項６〜８のいずれか１項に記載の前記複合膜の製造方法。
【請求項１０】
前記組成物Ａ２が、フタロイルクロライド（１，２−ベンゼンジカルボニルクロライド）、イソフタロイルクロライド（１，３−ベンゼンジカルボニルクロライド）、テレフタロイルクロライド（ＴＣＬ、１，４−ベンゼンジカルボニルクロライド）およびトリメソイルクロライド（ＴＭＣ、１，３，５−ベンゼン−トリ−カルボニル−トリクロライド）からなる群から選択される、０．０１質量％〜４質量％の少なくとも１つのポリアシルハライドモノマーと、少なくとも１つの炭化水素溶媒Ｓ３とを含む、請求項６〜９のいずれか１項に記載の前記複合膜の製造方法。
【請求項１１】
前記基材層（Ｓ）を工程ｃおよび／または工程ｄにおいて組成物Ａ１および／または組成物Ａ２と接触させることが、前記基材層（Ｓ）を前記組成物Ａ１および／または組成物Ａ２に浸すことによって行われる、請求項６〜１０のいずれか１項に記載の前記複合膜の製造方法。
【請求項１２】
下記の工程：
ａ）請求項１〜５のいずれか１項に記載の複合膜を供給する工程；
ｂ）前記複合膜を複合膜の一方の側において少なくとも１つの水性ドロー溶液と接触させ、かつ、複合膜の反対側において少なくとも１つの水性フィード溶液と接触させ、水が前記フィード溶液から前記ドロー溶液に輸送される工程
を含む正浸透方法。
【請求項１３】
前記正浸透方法が、廃水処理、海水淡水化、医薬組成物の濃縮、食品組成物の濃縮、廃水からの水の再生利用、発電および持ち運び可能な水再使用装置のための方法から選択されている、請求項１２に記載の方法。